(57)【特許請求の範囲】
【請求項１】
横長表示画面を備えた携帯型情報処理装置であって、
表示対象となる複数の画像を記憶する記憶手段と、
前記記憶手段に記憶された複数の画像の中から表示対象の画像を順次切り替えて読み出す読出手段と、
当該装置の横長表示画面が、当該横長表示画面の長手方向を上下とする横長表示状態であるのか、あるいは当該横長表示画面の長手方向を左右とする縦長表示状態にあるのか、を判別する判別手段と、
当該装置が前記横長表示状態にある場合には、前記読み出された画像を前記横長表示画面に表示する際は、当該横長表示画面の長手方向が前記読み出された画像の上下となる向きになるよう表示制御しつつ、且つ横長に表示された画像を新たに読み出された他の画像に順次切り替えてスライドショー表示する際は、当該他の画像を前記横長表示画面の長手方向が上下になるよう表示制御しつつ前記表示される画像に代わって所定方向からスライド移動表示させることで画像を切り替え表示する第１表示制御手段と、
当該装置が前記縦長表示状態である場合には、前記読み出された画像を９０度回転させて前記横長表示画面の長手方向が前記読み出された画像の左右となる向きになるように表示制御しつつ、且つ縦長に表示された画像を新たに読み出された他の画像に順次切り替えてスライドショー表示する際は、前記他の画像を前記横長表示画面の長手方向が左右になるよう表示制御しつつ前記表示される画像に代わって前記所定方向とは直交する方向からスライド移動表示させることで画像を切り替え表示する第２表示制御手段と、
を具備することを特徴とする携帯型情報処理装置。
【請求項２】
更に、通信手段を具備し、
前記第1表示制御手段は、前記通信手段により新規の受信があった際は、前記読み出された画像を表示しつつ、当該受信があったことを通知する新着メッセージを前記横長表示画面の横長方向に表示し、
前記第２表示制御手段は、前記通信手段により新規の受信があった際は、前記読み出された画像を表示しつつ、当該受信があったことを通知する新着メッセージを前記横長表示画面の横長方向と直交する方向に表示する、ことを特徴とする請求項１記載の携帯型情報処理装置。
【発明の詳細な説明】
【技術分野】
【０００１】
本発明は、横長表示画面を備えた携帯型情報処理装置、およびプログラムに関する。
【背景技術】
【０００２】
従来より、デジタルカメラなどにおいては、充電台に設置することで、自動的に記録されている画像データを表示部で、所定の時間間隔で次々に画像データを再生表示するスライドショー機能を起動する技術が提案されている（例えば特許文献１参照）。また、商用電源駆動時に操作なしでスライドショー機能を起動する技術が提案されている（例えば特許文献２参照）。
【特許文献１】特開２０００−３３３０４６号公報
【特許文献２】特開平１１−３１３２２９号公報
【発明の開示】
【発明が解決しようとする課題】
【０００３】
ところで、近年、折り畳み型携帯電話では、静止や動画の撮影、再生機能を備えており、表示部を縦長または横長にして、静止画や動画の再生を行っている。しかしながら、上記特許文献１および特許文献２による従来技術では、デジタルカメラを想定しているので、折り畳み型携帯電話におけるスライドショー機能を想定したものでなく、また、折り畳み型携帯電話の表示部や使用形態を考慮したスライドショー機能についても言及していない。然るに、従来技術では、通信機能を有する携帯電話で起こりうる事象、すなわち、スライドショー表示しているときに、着信やメール受信した場合にどのような対応が必要であるかについても言及していない。このように、従来技術では、折り畳み型携帯電話でのスライドショー表示ならびにスライドショー表示中の新着情報の受信に対応することができないという問題があった。
【０００４】
そこで本発明は、携帯型情報処理装置において複数の画像を順次切り替えて表示するスライドショー表示を行う際は、当該携帯型情報処理装置の使用状態の向きに拘わらずに、統一したスライドショー表示を実現することができることを目的とする。
【課題を解決するための手段】
【０００６】
請求項１の発明は、横長表示画面を備えた携帯型情報処理装置であって、表示対象となる複数の画像を記憶する記憶手段と、前記記憶手段に記憶された複数の画像の中から表示対象の画像を順次切り替えて読み出す読出手段と、当該装置の横長表示画面が、当該横長表示画面の長手方向を上下とする横長表示状態であるのか、あるいは当該横長表示画面の長手方向を左右とする縦長表示状態にあるのか、を判別する判別手段と、当該装置が前記横長表示状態にある場合には、前記読み出された画像を前記横長表示画面に表示する際は、当該横長表示画面の長手方向が前記読み出された画像の上下となる向きになるよう表示制御しつつ、且つ横長に表示された画像を新たに読み出された他の画像に順次切り替えてスライドショー表示する際は、当該他の画像を前記横長表示画面の長手方向が上下になるよう表示制御しつつ前記表示される画像に代わって所定方向からスライド移動表示させることで画像を切り替え表示する第１表示制御手段と、当該装置が前記縦長表示状態である場合には、前記読み出された画像を９０度回転させて前記横長表示画面の長手方向が前記読み出された画像の左右となる向きになるように表示制御しつつ、且つ縦長に表示された画像を新たに読み出された他の画像に順次切り替えてスライドショー表示する際は、前記他の画像を前記横長表示画面の長手方向が左右になるよう表示制御しつつ前記表示される画像に代わって前記所定方向とは直交する方向からスライド移動表示させることで画像を切り替え表示する第２表示制御手段と、を具備することを特徴とする。
【発明の効果】
【００１２】
本発明によれば、携帯型情報処理装置において複数の画像を順次切り替えて表示するスライドショー表示を行う際は、当該携帯型情報処理装置の使用状態の向きに拘わらずに、統一したスライドショー表示を実現することができる。
【発明を実施するための最良の形態】
【００１９】
以下、本発明の実施の形態を、図面を参照して説明する。
【００２０】
Ａ．実施形態の構成
図１は、本発明の実施形態に係る携帯電話１の蓋を開いた状態と閉じた状態の正面図に相当する外観図である。図１（ａ）は、携帯電話１の蓋を開いた状態を示し、図１（ｂ）は、携帯電話１の蓋を閉じた状態（蓋側）を示し、図１（ｃ）は、携帯電話１の蓋を閉じた状態（裏面側）を示している。
【００２１】
図示のように、蓋部２は、本体部３に対し第１ヒンジ部１００を回転軸として開閉可能（矢印α）に配置されているほか、第２ヒンジ部１２を回転軸として回転可能（矢印β）になっている。蓋部２は、第１スピーカ５、表示部６、データ通信用の内蔵アンテナ（図示略）を内蔵している。第１スピーカ５は、ダイナミックスピーカであり、蓋部２の内面に配置されている。表示部６は、蓋部２の内面に配置され、１６：９のアスペクト比の映像表示が可能な２．７ｉｎｃｈ（２４０×４２８ドット）ＴＦＴ液晶（ＱＶＧＡもしくは、ＨＶＧＡ相当の解像度を備える）カラー液晶からなる。
【００２２】
第１ヒンジ部１００は、蓋部２に連繋されて該蓋部２と一体的に回転する可動部１０１と、本体部３側に固定されるとともに可動部１０１の両側に設けられた左右一対の固定部１０２、１０３とで構成されている。
【００２３】
本体部３は、キー入力部８とマイク１０とを備える。キー入力部８は、メニュー表示時におけるフォーカス移動のための十字キー８１、決定のための決定キー８２、アドレス帳データ閲覧のためのアドレス帳キー８３、ネットワーク接続を指示するためのネットワーク接続キー８４、ムービー再生モードを起動させるためのムービー再生キー８５、メールモード（受信、作成、編集、送信）を起動させるためのメールキー８６、オフフックキー８７、クリアキー８８（キャンセル検出）、オンフックキー８９（オールクリア：着信待ち状態にジャンプ指示）、電話番号や文字記号を入力するためのテンキー８１０等からなる。また、本体部の背面には、撮影するための撮像レンズ１７、および着信音などを鳴動するためのスピーカ７Ｒ、７Ｌが配置されている。
【００２４】
第１磁気センサ２８と第２磁気センサ２９とは、本体部３の内面であって自由端側の隅部に配置されている。より詳しくは、第１磁気センサ２８は、図１（ｂ）に示すように、蓋部２を表示部６とキー入力部８と対面させる形で折り畳んだ状態で、第１スピーカ５と重なる位置に配置されている。したがって、この折り畳み状態において第１磁気センサ２８は、第１スピーカ５が有する磁気回路の磁気を検出することが可能となり、この磁気の検出の有無を出力する。言い換えると、第１磁気センサ２８が磁気を検出している場合には、図１（ｂ）に示すように、蓋部２が閉じられた状態であることが分かるようになっている。
【００２５】
また、第２磁気センサ２９は、蓋部２を開いて、第１ヒンジ部１００を軸にして回動させ、第２ヒンジ部１２を軸にして蓋部２を１８０°回転させ、再び、蓋部２を閉じた状態で（後述する図３（ｃ）または同図（ｄ））、第１スピーカ５の直下となる位置に配置されている。したがって、この折り畳み状態において第２磁気センサ２９は、第１スピーカ５が有する磁気回路の磁気を検出することが可能となり、この磁気の検出の有無を出カする。言い換えると、第２磁気センサ２９が磁気を検出している場合には、表示部６を外側に向けて、かつ蓋部２を閉じた状態であることが分かるようになっている。さらに、第１磁気センサ２８および第２磁気センサ２９のいずれも磁気を検出していない場合には、図１（ａ）に示すように、蓋部２を開いた状態にあることが分かるようになっている。
【００２６】
また、図２は、蓋を閉じた状態における携帯電話１の正面、および各側面を示す外観図である。図２（ａ）は、携帯電話１の蓋を閉じた状態（蓋側）を示し、図２（ｂ）は、同図（ａ）のＣ方向から見た側面を示し、図２（ｃ）は、同図（ａ）のＢ方向から見た側面を示し、図２（ｄ）は、同図（ａ）のＣ方向から見た側面を示し、図２（ｄ）は、同図（ａ）のＤ方向から見た側面を示している。
【００２７】
本体部３は、その一方の側部に、第１サイドキー９０、第２サイドキー９１、シャッターキー９２を備える。第１サイドキー９０は、待受け状態でマナーキーとして機能する。第２サイドキー９１は、メモキーとして機能する。シャッターキー９２は、蓋部２を閉じた状態でのカメラモードでシャッターキーとして機能する。また、本体部３は、その他方の側部に、クレイドル用コネクタ３２、メモリカードスロット（カバー）３３を備える。クレイドル用コネクタ３２は、携帯電話を横向きにクレイドル、すなわち充電台を兼ねた設置台に設置した際に、設置台からの電力で図示しないバッテリを充電するためのものである。メモリカードスロット３３には、ＳＤカードなどの記録媒体が装着される。
【００２８】
次に、図３は、本実施形態による携帯電話１を使用する場合の利用形態を示す模式図である。本実施形態による携帯電話１は、図３（ａ）に示すように、蓋部２を開いて、表示部６を縦長表示位置とした状態で使用する通常モードと、該状態から蓋部２を、第２ヒンジ部１２を介して回転軸βで１８０°回転させ、さらに、図３（ｂ）に示すように、蓋部２を第１ヒンジ部１００の可動部１０１を介して回転軸αで回転させて折り畳んで図３（ｃ）に示す状態とし、その後、携帯電話１を図３（ｃ）に示す矢印方向に回転させて、図３（ｄ）に示すように、表示部６を横長表示位置とした状態で使用するビューワモードとを備えている。すなわち、通常モードでは、縦長表示位置にある表示部６で見やすいように画像や動画、文字情報などをレイアウトし、ビューワモードでは、横長表示位置にある表示部６で見やすいように画像や動画、文字情報などをレイアウトする。携帯電話１が図３（ａ）に示す縦長表示位置と、図３（ｄ）に示す横長表示位置との状態変位は、前述したように、第１磁気センサ２８と第２磁気センサ２９の磁気検出の有無によって検知することができる。
【００２９】
次に、図４は、本実施形態による携帯電話１を充電台（クレイドル）に設置する手順、および状態を示す模式図である。図４（ａ）に示す充電台２００には、携帯電話１を設置すると、ちょうど、クレイドル用コネクタ３２が嵌合する位置にコネクタ２０１が設けられている。前述したように、携帯電話１の表示部６を露出させて横長表示位置とした状態（図３（ｄ）参照）で、図４（ｂ）に示すように、携帯電話１を充電台２００に設置すると、クレイドル用コネクタ３２とコネクタ２０１とが嵌合するとともに、図４（ｃ）に示すように、携帯電話１を横長表示位置で支持するようになっている。このとき、携帯電話１は、充電台２００に設置されたことを検知するようになっている。本実施形態では、図３（ａ）に示すように、表示部６が縦長表示位置の状態、ならびに、図４（ｃ）に示すように、充電台２００に設置され、表示部６が横長表示位置の状態で、それぞれの状態に応じた向きで、表示部６に画像をスライドショー表示するとともに、スライドショー表示中の新着メール受信を通知する新着メッセージを表示するようになっている。
【００３０】
図５は、本実施形態による携帯電話１の回路構成を示すブロック図である。受信信号処理部１８は、データ通信モードの開始指示をスイッチ回路２０１より受けると、外部の無線基地局とのネゴシエーション（端末認証、回線接続）を開始し、通信帯域幅を一時的に占有する処理を行う。そして、内蔵アンテナ１６により受信された無線信号より自機宛に符号変調された信号を抽出して、スイッチ回路２０１を介して通信データ処理部２０２に出力する。
【００３１】
通信信号処理部１９は、待受け状態においても、また、データ通信モードにおいても、常に電源供給されており、通信データ処理部２０２からのデジタル変調信号（送信音声データ、メールデータ、ネットワーク接続情報を含むパケットデータ）を、符号変調してメインアンテナ１１より出力する。また、一方で、無線基地局より送信され、メインアンテナ１１により受信された無線信号より自機宛に符号変調された信号を抽出して、スイッチ回路２０１を介して通信データ処理部２０２に出力する。
【００３２】
なお、内蔵アンテナ１６とメインアンテナ１１は、蓋部２を回動させた状態であっても、閉じた状態であっても、スペースダイバーシチ受信を行うのに有効な位置関係にある。
【００３３】
第１制御部２０は、無線基地局、及びその後段にあたる、通信サービス事業者、インターネット等のネットワークインフラを介して接続されるデータベース等の、情報資源との接続制御を中心とした処理を行う。なお、本実施の形態においては、携帯電話１は、２つの制御部を傭えており、通信処理全般については第１制御部２０、その他、撮影処理、画像処理、および、映像の再生処理に関しては後述の第２制御部２２で行う。
【００３４】
スイッチ回路２０１は、通信データ処理部２０２からの制御信号を受け、受信信号処理部１８、通信信号処理部１９への電源供給、処理動作開始終了の制御を行う。詳細には、通常電源オン状態、もしくは、受信ＯＮモード状態であれば、通信信号処理部１９のみに電源を供給して動作させ、一方で、ユーザがネットワーク接続キー８４を操作したか、あるいは、予め設定されたスケジュールに従い、データ通信モードの開始が指示された場合は、受信信号処理部１８と通信信号処理部１９とを動作させる。
【００３５】
通信データ処理部２０２は、音声処理部２０５より出力されたＣＥＬＰ系デジタル音声データをＰＳＫ系方式に対応する信号に変調、及び拡散符号に変調するとともに、受信信号処理部１８、通信信号処理部１９にて受信される符号変調された信号をＰＳＫ系方式、及び／又は、ＱＡＭ系方式のデジタル信号に復号する処理を行う。また、２０２０は、ＩＤメモリであり、当該携帯電話１に予め割り当てられ、無線基地局、通信サービス事業者、及びインターネット接続のための固有情報を記憶する。この情報とは、例えば、サービス事業者毎に割り当てられたサービスコードであったり、当該携帯電話１を呼び出すための電話番号であったり、当該携帯電話１のメーカーコードであったり、インターネット接続のためのＩＰアドレス、メールアドレスが含まれる。
【００３６】
システムＲＯＭ２０３は、通信制御のための制御プログラムを格納する。本実施の形態の特徴としては、通常の通信ネゴシエーションプログラムの他に受信信号処理部１８と通信信号処理部１９との動作切替制御プログラムを記憶する。これにより、データ通信モードの開始が指示された場合に、メインアンテナ１１と内蔵アンテナ１６によるスペースダイバーシチ受信を行わせて、一時的に通信帯域幅を占有し、受信信号処理部１８、通信信号処理部１９の双方より串力される符号変調された信号をほぼ同時にＱＡＭ系方式のデジタル信号に復号、合成して、インターフェイス処理部２０４を介してバス２００に出カするプログラムを記憶する。
【００３７】
音声処理部２０５は、ＣＥＬＰ系の音声変調／復調システムと、ＭＰＥＧオーディオ系の音声復調システムとを備え、通話状態においては、音声処理部２０５から出カされるアナログ音声を第１スピーカ５から出力させる。スイッチＳＷは、第２制御部２２からの制御により、ムービー再生モードにおいては、ムービーファイルに格納されるオーディオデータがステレオ対応である場合、第２スピーカ７Ｒ、第３スピーカ７Ｌの両方にオーディオ信号を出力する。第２スピーカ７Ｌは、報知ドライバ２６によっても駆動され、着信報知音を発生する。
【００３８】
第２制御部２２は、ムービー再生モードにおけるデータ通信モードによりダウンロードしたムービーファイルや、カメラモードにおける静止画／動画の再生表示処理、及び、カメラモードにおける撮影処理全般の制御を行う。特に、本実施形態では、第２制御部２２は、携帯電話１の状態（縦長表示位置、横長表示位置＝充電台設置）に応じて、記録されている画像を順次切り換えて表示するスライドショー表示、スライドショー表示中の新着メールの受信に伴う新着メッセージの表示制御を行う。なお、本実施の形態においては、携帯電話機能による着信割り込み時において上述の第１制御部２０との並行処理が可能だが、これらの処理に伴うバスへのアドレス／データの割り込み処理については、インターフェイス処理部２０４が行うものとする。
【００３９】
プログラムＲＯＭ２３は、ムービー再生モード、カメラモード等の各処理プログラムを格納する。ＲＡＭ２４は、データ通信処理や、音声通信において必要とされる各種データを記憶する。詳細には、電話番号、メールアドレス、住所などからなるアドレス帳データ、メール通信により送受信されるメールデータ、メールに添付された画像（静止画、動画）、カメラモードにより撮影された画像（静止画、動画）、ネットワーク接続により受信したマルチメディアファイル（イラスト、静止画、動画、音声など）などが記憶されている。
【００４０】
次に、圧縮伸張処理部２５は、ＭＰＥＧ−２、−４に対応し、カメラモードにて撮影された静止画／動画を圧縮処理するとともに、ムービー再生モードにおけるデータ通信モードによりダウンロ−ドしたムービーファイルや、カメラモードにおける静止画／動画を伸張処理する。
【００４１】
報知ドライバ２６は、着信処理を検出した際、これを報知せしめるために報知用ＬＥＤ１３、第３スピ−カ７Ｌを動作させる。スイッチ処理部２７は、キー入力部８、第１サイドキー９０、第２サイドキー９１、シャッターキー９２からの操作検出に伴う第１制御部２０、第２制御部２２への制御信号を出カする。第１磁気センサ２８および第２磁気センサ２９は、前述したように第１スピーカ５が有する磁気回路の磁気を検出し、第２制御部２２へ検出信号を供給する。
【００４２】
なお、カメラレンズ１７の後段には、ＣＣＤ、若しくはＣＭＯＳ等のイメ−ジセンサと光学ズーム用のステップモータからなる撮像デバイス１７１と、この撮像デバイスで撮り込まれたアナログ信号をデジタル信号に変換し、イメージデータを生成するためのＤＳＰ１７２とが備えられている。また、本実施の形態におけるイメージセンサーの有効画素領域は４：３のアスペクト比に固定されている。
【００４３】
クレイドル用コネクタ３２は、クレイドル、すなわち充電台２００に設置した際に、設置台からの電力で２次電池４０を充電するためのものであり、コネクタインターフェース３１を介してバスに接続されている。メモリカードスロット３３０（３３）には、ＳＤカードなどの記録媒体３３１が装着される。表示ドライバ６１は、表示バッファ６２に一時的に格納される表示データを表示部６に表示制御する。
【００４４】
Ｂ．実施形態の動作
次に、上述した実施形態の動作について説明する。ここで、図６ないし図９は、本実施形態による携帯電話１の動作を説明するためのフローチャートである。また、図１０（ａ）は、表示部６が縦長表示位置（通常モード）となっている場合における画像表示例を示す模式図であり、同図（ｂ）は、充電台２００にセットされ、表示部６が横長表示位置（ビューワモード）になっている場合における画像表示例を示す模式図である。
【００４５】
携帯電話１では、待受モードにおいて、音声着信があったか否かを判断し（ステップＳ１０）、音声着信があった場合には、音声着信を報知ドライバ２６によりスピーカ７Ｌまたは報知ＬＥＤ１３により報知する（ステップＳ１２）。次いで、通話キー（オフフックキー８７）が押下されたか否かを判断し（ステップＳ１４）、押下されなければ、ステップＳ１０へ戻る。
【００４６】
一方、通話キー（オフフックキー８７）が押下された場合には、音声通話を行う通話モードへ移行し（ステップＳ１６）、音声通話を行う（ステップＳ１８）。通話中は、オンフックキー８９の押下により通話が終了したか否かを判断し（ステップＳ２０）、通話が終了していない場合には、ステップＳ１８で通話を継続する。一方、オンフックキー８９の押下により通話が終了した場合には、ステップＳ１０へ戻る。
【００４７】
次に、音声着信がない場合には、着信メールがあったか否かを判断し（ステップS２２）、新着メールがあった場合には、新着メール受信を報知ドライバ２６によりスピーカ７Ｌまたは報知ＬＥＤ１３により報知する（ステップＳ２４）。次いで、メールキー８６が押下されたか否かを判断し（ステップＳ２６）、押下されなければ、ステップＳ１０へ戻る。一方、メールキー８６が押下された場合には、受信したメールを表示するなどの操作キーに対応した処理を実行し（ステップＳ３０）、その後、ステップＳ１０へ戻る。
【００４８】
また、音声着信も新着メールもない場合には、いずれかのキー操作があったか否かを判断し（ステップＳ２８）、いずれかのキー操作があった場合には、操作されたキーに対応する処理を行う（ステップＳ３０）。その後、ステップＳ１０へ戻る。
【００４９】
また、音声着信、新着メール、キー操作もない場合には、所定時間放置されたか否かを判断する（ステップＳ３２）。そして、所定時間放置されていない場合には、すなわち所定時間に達していない場合には、ステップＳ１０へ戻り、上述した処理を繰り返す。
【００５０】
一方、音声着信、新着メール、キー操作もない状態で、所定時間放置された場合には、充電台２００にセットされたか否かを判断する（ステップＳ３４）。そして、図４（ｃ）に示すように充電台２００にセットされている場合には、図７のステップＳ３６へ進む。そして、ステップＳ３６で、スライド対象画像を読み出す。ここで、スライド対象画像とは、ＲＡＭ２４に記録されている、撮影した画像や、メールに添付されていた画像、あるいはダウンロードした画像などが含まれる。なお、記録されている画像の中からユーザが予めスライド対象画像として選択するようにしてもよい。
【００５１】
次に、読み出した画像を表示部６の横長サイズに調整し（ステップＳ３８）、該横長サイズの画像を、横表示位置（長手方向を横にした状態）の表示部６にスライド切換表示する（ステップＳ４０）。ここで、スライド切換表示とは、図１０（ａ）に示すように、既に表示されている画像を下方へスライドさせつつ、上側から次の画像をスライドさせて、表示画像を切り換える手法である。次に、音声着信があったか否かを判断し（ステップＳ４２）、スライド表示中に、音声着信があった場合には、前述したステップＳ１２へ戻り、音声通話の処理を実行する。
【００５２】
一方、音声着信がない場合には、新着メールの受信があったか否かを判断し（ステップＳ４４）、新着メールの受信があった場合には、図１０（ａ）に示すように、横表示位置にある表示部６の下部のメッセージ表示領域３００に、長手方向に新着メールを受信した旨を通知する新着メッセージを表示する（ステップＳ４６）。一方、新着メールの受信がない場合には、新着メッセージを表示することなく、次のステップＳ４８へ進む。
【００５３】
次に、スライド対象になっている全画像を表示したか否かを判断し（ステップＳ４８）、全画像を表示していない場合には、ステップＳ３６へ戻り、上述したように、次のスライド対象画像を読み出し、該横長サイズの画像を、横表示位置（長手方向を横にした状態）の表示部６にスライド切換表示するという動作を繰り返す。そして、全画像を表示した場合には、図６のステップＳ１０へ戻り、前述した処理を繰り返す。
【００５４】
一方、音声着信、新着メール、キー操作もない状態で、所定時間放置された場合であっても、充電台２００にセットされていない場合には（ステップＳ３４のＮＯ）、図８のステップＳ５０へ進み、スライド対象画像を読み出す。次に、読み出した画像を９０度回転して、表示部６の縦長サイズに調整し（ステップＳ５２）、該縦長サイズの画像を、縦表示位置（長手方向を縦にした状態）の表示部６にスライド切換表示する（ステップＳ５４）。この場合、図１０（ｂ）に示すように、既に表示されている画像を下方へスライドさせつつ、上側から次の画像をスライドさせて、表示画像を切り換える。次に、音声着信があったか否かを判断し（ステップＳ５６）、スライド表示中に、音声着信があった場合には、前述したステップＳ１２へ戻り、音声通話の処理を実行する。
【００５５】
一方、音声着信がない場合には、新着メールの受信があったか否かを判断し（ステップＳ５８）、新着メールの受信があった場合には、図１０（ｂ）に示すように、縦表示位置にある表示部６の下部のメッセージ表示領域３００に、長手方向と直交する方向に新着メールを受信した旨を通知する新着メッセージを表示する（ステップＳ６０）。一方、新着メールの受信がない場合には、新着メッセージを表示することなく、次のステップＳ６２へ進む。
【００５６】
次に、スライド対象になっている全画像を表示したか否かを判断し（ステップＳ６２）、全画像を表示していない場合には、ステップＳ５０へ戻り、上述したように、次のスライド対象画像を読み出し、該縦長サイズの画像を、縦表示位置（長手方向を縦にした状態）の表示部６にスライド切換表示するという動作を繰り返す。そして、全画像を表示した場合には、図６のステップＳ１０へ戻り、前述した処理を繰り返す。
【００５７】
Ｃ．変形例
また、本発明の変形例として、ユーザ操作によりスライドショー表示へ移行するようにしてもよい。図９は、本変形例の一部動作を示すフローチャートである。なお、他の動作は上述した図７および図８と同じである。
【００５８】
ユーザによって所定のキー（例えば、第１サイドキー９０、第２サイドキー９１、シャッターキー９３など）が操作されると、まず、携帯電話１の向きを検出する（ステップＳ７０）。携帯電話１の向きは、前述したように、第１磁気センサ２８が磁気を検出している場合には、図１（ｂ）に示すように、蓋部２が閉じられた状態であり、第２磁気センサ２９が磁気を検出している場合には、図３（ｄ）に示すように、表示部６を外側に向けて、かつ蓋部２を閉じた状態であり、第１磁気センサ２８および第２磁気センサ２９のいずれも磁気を検出していない場合には、図３（ａ）、（ｂ）に示すように、蓋部２を開いた状態にある。
【００５９】
次に、上記検出結果から、横長表示位置（横向き）の状態にあるか否かを判断する（ステップＳ７２）。以下、携帯電話１が横長表示位置（横向き）の状態にある場合には、前述した図７に示すステップＳ３６〜Ｓ４８へ進み、横長サイズの画像を、横表示位置（長手方向を横にした状態）の表示部６にスライド切換表示し、スライドショー表示中に、新着メールの受信があった場合には、図１０（ａ）に示すように、横表示位置にある表示部６の下部のメッセージ表示領域３００に、長手方向に新着メールを受信した旨を通知する新着メッセージを表示する。
【００６０】
一方、携帯電話１が縦長表示位置（縦向き）の状態にある場合には、前述した図８に示すステップＳ５０〜Ｓ６２へ進み、縦長サイズの画像を、縦表示位置（長手方向を縦にした状態）の表示部６にスライド切換表示し、スライドショー表示中に、新着メールの受信があった場合には、図１０（ｂ）に示すように、横表示位置にある表示部６の下部のメッセージ表示領域３００に、長手方向に新着メールを受信した旨を通知する新着メッセージを表示する。
【００６１】
上述した実施形態によれば、縦横比が非対称な表示画面の表示部６を有する携帯電話において、所定時間放置されると、表示部６に複数の画像を順次切り換えて表示するスライドショー表示を実行し、該スライドショー表示中に、音声着信があると、スライドショー表示を終了して着信を報知し、新着メールがあると、表示部６の所定の領域に新着メッセージを表示するようにしたので、スライドショー表示中であっても、新着情報を容易に確認することができる。
【００６２】
また、上述した実施形態によれば、所定時間放置された際、充電台２００にセットされている場合、すなわち横長表示状態の場合には、複数の画像を表示部６の横長サイズに合わせて切り換え表示し、充電台２００にセットされていない場合、すなわち縦長表示状態の場合には、複数の画像を表示部６の縦長サイズに合わせて切り換え表示するようにしたので、表示部６の向きに応じて最適な状態でスライドショー表示することができる。
【００６３】
また、上述した実施形態によれば、新着メッセージを表示する際、表示部６が縦長表示状態にある場合には、表示部６の長手方向に直交する向きに新着メッセージを表示し、表示部６が横長表示状態にある場合には、表示部６の長手方向に新着メッセージを表示するようにしたので、スライドショー表示中であっても、新着情報をより容易に確認することができる。
【００６４】
なお、上述した実施形態においては、携帯電話に適用した実施例について説明したが、これに限らず、少なくとも画像を表示する機能を有したマルチメディア端末などに適用するようにしてもよい。
【図面の簡単な説明】
【００６５】
【図１】本発明の実施形態に係る携帯電話１の蓋を開いた状態と閉じた状態の正面図に相当する外観図である。
【図２】本実施形態に係る携帯電話１の蓋を閉じた状態における携帯電話１の正面、および各側面を示す外観図である。
【図３】本実施形態による携帯電話１を使用する場合の利用形態を示す模式図である。
【図４】本実施形態による携帯電話１を充電台（クレイドル）に設置する手順、および状態を示す模式図である。
【図５】本実施形態による携帯電話１の回路構成を示すブロック図である。
【図６】本実施形態による携帯電話１の動作を説明するためのフローチャートである。
【図７】本実施形態による携帯電話１の動作を説明するためのフローチャートである。
【図８】本実施形態による携帯電話１の動作を説明するためのフローチャートである。
【図９】本実施形態による携帯電話１の動作を説明するためのフローチャートである。
【図１０】縦長表示位置（通常モード）となっている場合における画像表示例と横長表示位置（ビューワモード）になっている場合における画像表示例を示す模式図である。
【符号の説明】
【００６６】
１  携帯電話（携帯型情報処理装置）
２  蓋部
３  本体部
５  第１スピーカ
６  表示部（表示手段）
７Ｒ  第２スピーカ
７Ｌ  第３スピーカ（報知手段）
８  キー入力部
１０  マイク
１１  メインアンテナ
１２  第２ヒンジ部
１３  報知用ＬＥＤ（報知手段）
１６  内蔵アンテナ
１７  撮像レンズ
１８  受信信号処理部
１９  通信信号処理部
２０  第１制御部（受信判断手段）
２２  第２制御部（表示制御手段、新着メッセージ表示制御手段）
２３  プログラムＲＯＭ
２４  ＲＡＭ（記憶手段）
２６  報知ドライバ（報知手段）
２７  スイッチ処理部
２８  第１磁気センサ（表示画面方向判別手段）
２９  第２磁気センサ（表示画面方向判別手段）
３１  コネクタインターフェース
ＳＷ  スイッチ
４０  ２次電池
６１  表示ドライバ（表示制御手段）
６２  表示バッファ
９０  第１サイドキー
９１  第２サイドキー
９２  シャッターキー
１００  第１ヒンジ部
２０１  スイッチ回路
２０２  通信データ処理部
２０３  システムＲＯＭ
２０５  音声処理部
２０６  スイッチ回路
２０７  オーデイオアンプ
３３０  メモリカードスロット
３３１  カード媒体
【図１】
0004757468.tif 000002
【図２】
0004757468.tif 000003
【図３】
0004757468.tif 000004
【図４】
0004757468.tif 000005
【図５】
0004757468.tif 000006
【図６】
0004757468.tif 000007
【図７】
0004757468.tif 000008
【図８】
0004757468.tif 000009
【図９】
0004757468.tif 000010
【図１０】
0004757468.tif 000011